(57)【要約】      （修正有）【課題】竿掛けアーム支持装置のバルコニー内部への出幅を最小とした物干し金物の竿掛けアーム支持装置の提供。【解決手段】ブラケット形状の固定具２a、２ｂ等により取り付けられ、該摺動用固定柱３には上下方向に摺動可能に挿着されたアーム保持金具４を設け、該アーム保持金具４に竿掛けアーム５を回転軸を介して回転自在に設け、且つ、前記竿掛けアーム５の端部に上向きに突設された掛合部８を設け、該竿掛けアーム５に設けられた掛合部８が前記摺動用固定柱３前面に穿設された複数個の掛合長孔９a、９ｂ、９ｃにそれぞれ嵌着されることで竿掛けアーム５の高さを可変した状態で竿掛けアーム５の長手方向が水平方向から略４０度、または水平状態に保持されるよう構成した物干し金物の竿掛けアーム支持装置。【選択図】図１
2006158610.tif 000002
【特許請求の範囲】
【請求項１】
バルコニーを構成するコンクリート立ち上がり壁面やバルコニー手摺を構成する金属製手摺の支柱間、または母屋外壁面に任意な間隔を有して固定される摺動用固定柱は少なくとも上下２カ所で固着保持するためのブラケット形状の固定具を介して設けて取り付けられるか、或いは前記摺動用固定柱は少なくとも上下２カ所で前記壁面に対して固着保持が可能な形状具を有しており、
該摺動用固定柱には上下方向に摺動可能に挿着されたアーム保持金具を設け、
該アーム保持金具に竿掛けアームを回転軸を介して回転自在に設け、
且つ、前記竿掛けアームの端部に上向きに突設された掛合部を設け、
該竿掛けアームに設けられた掛合部が前記摺動用固定柱前面に穿設された複数個の掛合長孔にそれぞれ嵌着されることで竿掛けアームの高さを可変した状態で竿掛けアームの長手方向が水平方向から略４０度に保持されるよう構成したこと、  を特徴とする物干し金物の竿掛けアーム支持装置。
【請求項２】
前記竿掛けアームの長手方向中央部にはスライド溝が設けてあり、
該スライド溝はアーム保持金具と竿掛けアームを回転軸を介して連繋し竿掛けアームを摺動するもので、
該竿掛けアームの長手方向が水平方向から略４０度に保持されるように構成され、
前記竿掛けアームの端部に突設された掛合部が前記摺動用固定柱前面に穿設された複数個の掛合長孔に嵌着されることで竿掛けアームの長手方向が水平方向から略４０度に保持されるよう構成したこと、
を特徴とする請求項１記載の物干し金物の竿掛けアーム支持装置。
【請求項３】
前記竿掛けアームの長手方向中央部にはスライド溝が設けてあり、
該スライド溝はアーム保持金具と竿掛けアームを回転軸を介して連繋し竿掛けアームを摺動するもので、
該竿掛けアームの長手方向が水平方向から略４０度に保持される際に前記回転軸がスライド溝内の端部に設けられ偏芯した中心軸を有するアーム固定孔に嵌合し、
また、前記竿掛けアームの端部に突設された掛合部が前記摺動用固定柱前面に穿設された複数個の掛合長孔に嵌着されることで竿掛けアームの長手方向が水平方向から略４０度に保持固着されるよう構成したこと、
を特徴とする請求項１記載の物干し金物の竿掛けアーム支持装置。
【請求項４】
前記竿掛けアームの長手方向中央部にはスライド溝が設けてあり、
該スライド溝はアーム保持金具と竿掛けアームを回転軸を介して連繋し竿掛けアームを摺動するもので、
該竿掛けアームの長手方向が略水平方向に保持される際に前記回転軸がスライド溝内の端部に設けられ偏芯した中心軸を有するアーム固定孔に嵌合し、
また、前記竿掛けアームの端部に突設された掛合部が前記摺動用固定柱前面に穿設された複数個の掛合長孔に嵌着されることで竿掛けアームの長手方向が略水平方向に保持されるよう構成したこと、
を特徴とする請求項１記載の物干し金物の竿掛けアーム支持装置。
【請求項５】
前記竿掛けアームの長手方向中央部にはスライド溝が設けてあり、
該スライド溝はアーム保持金具と竿掛けアームを回転軸を介して連繋し竿掛けアームを摺動するもので、
該スライド溝内に摺動自在にスライド・ストッパーピンを挿着し、
該スライド・ストッパーピンの収納部溝を前記スライド溝内に設けると共に、
該スライド・ストッパーピンが摺動して嵌合する凹部嵌合部を前記アーム保持金具先端部に刻設し、
該竿掛けアームの長手方向が水平方向から略４０度に保持される際に前記スライド・ストッパーピンがスライド溝内を摺動してアーム保持金具の凹部嵌合部に嵌合し、
また、前記竿掛けアームの端部に突設された掛合部が前記摺動用固定柱前面に穿設された複数個の掛合長孔に嵌着されることで竿掛けアームの長手方向が水平方向から略４０度に保持固着されるよう構成したこと、
を特徴とする請求項１記載の物干し金物の竿掛けアーム支持装置。
【請求項６】
前記竿掛けアームの長手方向中央部にはスライド溝が設けてあり、該スライド溝はアーム保持金物と竿掛けアームを回転軸を介して連繋し竿掛けアームを摺動するものであり、
該竿掛けアームを垂直方向まで回動して収納操作に入ると前記回転軸がスライド溝内を摺動して竿掛けアームを下方向に下げおろし竿掛けアームを垂直方向に立てた状態で収納可能に構成したこと、
を特徴とする請求項１記載の物干し金物の竿掛けアーム支持装置。
【請求項７】
前記竿掛けアームを垂直方向まで回転させて収納動作に入ると竿掛けアーム上面縁部に刻設した切欠部が前記ブラケット形状の上部固定具に設けられた挟持部に嵌合して下方向に摺動し、
前記竿掛けアームを垂直方向に立てた状態で収納可能に構成したこと、
を特徴とする請求項１記載の物干し金物の竿掛けアーム支持装置。
【請求項８】
前記摺動用固定柱に摺動可能に挿着されたアーム保持金具にはストッパー機構が設けてあり、
該ストッパー機構の操作は前記アーム保持金具に装着されているストッパーロッドをレバーにて操作することで摺動用固定柱背面に穿設された複数個の係合孔にストッパーロッドを着脱できてアーム保持金具位置を任意に移動並びに固定可能となし、
また前記アーム保持金具に連繋している竿掛けアームの高さ調整と固定、開放を任意に行うことを可能に構成したこと、
を特徴とする請求項１記載の物干し金物の竿掛けアーム支持装置。
【請求項９】
前記摺動用固定柱のブラケット形状固定具に設けられる挟持部は合成樹脂等を被覆した構成部材からなり、
該合成樹脂被覆材の厚さ及び大きさを調整したこと、
を特徴とする請求項１から請求項８記載の物干し金物の竿掛けアーム支持装置。
【発明の詳細な説明】
【技術分野】
【０００１】
本発明は、バルコニーを構成するコンクリート立ち上がり壁や、バルコニー手摺を構成する金属製手摺の支柱間、または母屋外壁に任意な間隔を有して設置される物干し金物の竿掛けアーム支持装置に関するものである。
【０００２】
本発明は、物干し竿を両端で支持する一対の竿掛けアームと、該竿掛けアームをそれぞれ支持して、上下方向に摺動可能なアーム保持金具、並びにアーム保持具を挿着して摺動用固定柱を建物の壁面やバルコニーの手摺支持間等に固定するためのブラケット形状の固定金具からなり、前記アーム保持金具と竿掛けアームを上下に移動して、干し物を高く掛け干し、また、竿掛けアーム収納時に物干しを取り外すことなく上向き方向に竿掛けアームを回動させてから、下方向に引き下げて収納可能な物干し金物の竿掛けアーム支持装置に関するものである。
【背景技術】
【０００３】
従来より竿掛けアームを回動させて上向きに収納するタイプの物干装置として、特公昭６４−４８００号公報が知られている。
また、特公平７−４１１１６号公報には、バルコニー手摺やコンクリート壁等に棒材を取付具を介して上下動できるように取付、該棒材の上端部に竿掛けアームを冠設して竿掛けアームの高さを三段階に調節できる物干し用竿掛け器具が開示されている。
【０００４】
更に、特許第３０３４４７１号公報は、竿掛けアームを回動させて上向きに収納するタイプの物干し竿掛けアームで、且つ、竿掛けアームが高さ調整可能に取付具を介してベランダ手摺に固定された支柱の上部に冠持されていて、竿掛けアームの高さが干し物や日当たりを配慮して前記支柱の伸縮で調整できる物干竿支持装置であり、最近の傾向として、本件特許文献の如く、竿掛けアームの高さを調整でき、また竿掛けアームの収納機構も具備した物干し金物が要求されてきている。
【０００５】
然しながら、特許第３０３４４７１号は、壁面等に支柱をスライド可能に取り付ける取付部品、該固定用取付部品に保持され上下摺動するスライド支柱、スライド支柱の高さを段階的に可変して保持固定する高さ調整具、該スライド支柱上端部に竿掛けアームを冠設してその竿掛けアームの角度設定を行う部品、そして前記角度設定の可能な竿掛けアームの５部品が主たる部品構成となって、部品数が多くなってしまっている。
【０００６】
また、前記壁面への取付部品とスライド支柱の組み合わせ構成も、スムーズな上下摺動を可能とするために複雑で精度を要する加工製作が必要で、それらが製作コストを高くする要因となっていた。
【０００７】
更にまた、上記従来製品においては、各構成部品の強度を保つために、各構成部材に一定の大きさが必要となり、特に片持ち支持にて竿掛けアーム、物干し竿、干し物を支持するスライド支柱は太く大きなものになり、全体としてバルコニーの内部側に出幅として大きく飛び出した格好にならざるを得ないので、バルコニー内部で利用者が物干し金物の突設部に接触したり、部分的に衝突して危険であった。
【特許文献１】特公昭６４−４８００号公報
【特許文献２】特公平７−４１１１６号公報
【特許文献３】特許第３０３４４７１号公報
【発明の開示】
【発明が解決しようとする課題】
【０００８】
而して、本発明は、上記従来例の欠点を解消するもので、竿掛けアームを回動させて上向き方向に収納する竿掛けアーム収納部分、並びに竿掛けアームを冠着して竿掛けアームの角度設定をしているキャップ部分、そして竿掛けアームの高さ調整をする摺動用固定柱部分（スライド支柱部分）を徹底的に簡素化し、複雑な動きや機構を排除してスムーズな動きの竿掛けアーム収納操作が可能な物干し金物の竿掛けアーム支持装置を具現化するものである。
【０００９】
また、本発明は、竿掛けアームを保持して摺動せしめ、竿掛けアームの高さを調整する摺動用固定柱部分（スライド支柱部分）を上下両端部で壁面に保持固定することで摺動用固定柱部分をスリム化しても強度的には両端部支持で確実なものとし、該竿掛けアームの角度保持機構は、摺動用固定柱に穿設された掛合長孔に竿掛けアーム端部に設けられた掛合部が嵌合することで行う構成となし、物干し金物がバルコニー内部側に突出する寸法、所謂、出幅を最小とすることで利用者が物干し金物に衝突することを防止した物干し金物の竿掛けアーム支持装置を具体化するものである。
【００１０】
また、本発明は、竿掛けアーム収納時に竿掛けアーム縁部と摺動用固定柱のブラケット形状固定具に設けられる挟持部ガタツキがあると竿掛けアームが横揺れしたり、強風時に音を発生することがあり、この音鳴りを防止した物干し金物の竿掛けアーム支持装置を具現化するものである。
【００１１】
そして更に、本発明は、前記作動部分の部品数を簡素化することで 、製作コストを安価にすることが可能な物干し金物の竿掛けアーム支持装置を具現化するものである。
【課題を解決するための手段】
【００１２】
本発明は、バルコニーを構成するコンクリート立ち上がり壁面やバルコニー手摺を構成する金属製手摺の支柱間、または母屋外壁面に任意な間隔を有して固定される摺動用固定柱は少なくとも上下２カ所で固着保持するためのブラケット形状の固定具を介して設けて取り付けられるか、或いは前記摺動用固定柱は少なくとも上下２カ所で前記壁面に対して固着保持が可能な形状具を有しており、該摺動用固定柱には上下方向に摺動可能に挿着されたアーム保持金具を設け、該アーム保持金具に竿掛けアームを回転軸を介して回転自在に設け、且つ、前記竿掛けアームの端部に上向きに突設された掛合部を設け、該竿掛けアームに設けられた掛合部が前記摺動用固定柱前面に穿設された複数個の掛合長孔にそれぞれ嵌着されることで竿掛けアームの高さを可変した状態で竿掛けアームの長手方向が水平方向から略４０度に保持されるよう構成したことを特徴とする物干し金物の竿掛けアーム支持装置である。
【００１３】
本発明において、前記竿掛けアームの長手方向中央部にはスライド溝が設けてあり、該スライド溝はアーム保持金具と竿掛けアームを回転軸を介して連繋し竿掛けアームを摺動するもので、該竿掛けアームの長手方向が水平方向から略４０度に保持されるように構成され、前記竿掛けアームの端部に突設された掛合部が前記摺動用固定柱前面に穿設された複数個の掛合長孔に嵌着されることで竿掛けアームの長手方向が水平方向から略４０度に保持されるよう構成したことを特徴とする物干し金物の竿掛けアーム支持装置である。
【００１４】
本発明において、前記竿掛けアームの長手方向中央部にはスライド溝が設けてあり、該スライド溝はアーム保持金具と竿掛けアームを回転軸を介して連繋し竿掛けアームを摺動するもので、該竿掛けアームの長手方向が水平方向から略４０度に保持される際に前記回転軸がスライド溝内の端部に設けられ偏芯した中心軸を有するアーム固定孔に嵌合し、また、前記竿掛けアームの端部に突設された掛合部が前記摺動用固定柱前面に穿設された複数個の掛合長孔に嵌着されることで竿掛けアームの長手方向が水平方向から略４０度に保持固着されるよう構成したことを特徴とする物干し金物の竿掛けアーム支持装置である。
【００１５】
本発明において、前記竿掛けアームの長手方向中央部にはスライド溝が設けてあり、該スライド溝はアーム保持金具と竿掛けアームを回転軸を介して連繋し竿掛けアームを摺動するもので、該竿掛けアームの長手方向が略水平方向に保持される際に前記回転軸がスライド溝内の端部に設けられ偏芯した中心軸を有するアーム固定孔に嵌合し、また、前記竿掛けアームの端部に突設された掛合部が前記摺動用固定柱前面に穿設された複数個の掛合長孔に嵌着されることで竿掛けアームの長手方向が略水平方向に保持されるよう構成したことを特徴とする物干し金物の竿掛けアーム支持装置である。
【００１６】
本発明において、前記竿掛けアームの長手方向中央部にはスライド溝が設けてあり、該スライド溝はアーム保持金具と竿掛けアームを回転軸を介して連繋し竿掛けアームを摺動するもので、該スライド溝内に摺動自在にスライド・ストッパーピンを挿着し、該スライド・ストッパーピンの収納部溝を前記スライド溝内に設けると共に、該スライド・ストッパーピンが摺動して嵌合する凹部嵌合部を前記アーム保持金具先端部に刻設し、該竿掛けアームの長手方向が水平方向から略４０度に保持される際に前記スライド・ストッパーピンがスライド溝内を摺動してアーム保持金具の凹部嵌合部に嵌合し、また、前記竿掛けアームの端部に突設された掛合部が前記摺動用固定柱前面に穿設された複数個の掛合長孔に嵌着されることで竿掛けアームの長手方向が水平方向から略４０度に保持固着されるよう構成したことを特徴とする物干し金物の竿掛けアーム支持装置である。
【００１７】
本発明において、前記竿掛けアームの長手方向中央部にはスライド溝が設けてあり、該スライド溝はアーム保持金物と竿掛けアームを回転軸を介して連繋し竿掛けアームを摺動するものであり、該竿掛けアームを垂直方向まで回動して収納操作に入ると前記回転軸がスライド溝内を摺動して竿掛けアームを下方向に下げおろし竿掛けアームを垂直方向に立てた状態で収納可能に構成したことを特徴とする物干し金物の竿掛けアーム支持装置である。
【００１８】
本発明は、前記竿掛けアームを垂直方向まで回転させて収納動作に入ると竿掛けアーム上面縁部に刻設した切欠部が前記ブラケット形状の上部固定具に設けられた挟持部に嵌合して下方向に摺動し、前記竿掛けアームを垂直方向に立てた状態で収納可能に構成したことを特徴とする物干し金物の竿掛けアーム支持装置である。
【００１９】
本発明において、前記摺動用固定柱に摺動可能に挿着されたアーム保持金具にはストッパー機構が設けてあり、該ストッパー機構の操作は前記アーム保持金具に装着されているストッパーロッドをレバーにて操作することで摺動用固定柱背面に穿設された複数個の係合孔にストッパーロッドを着脱できてアーム保持金具位置を任意に移動並びに固定可能となし、またアーム保持金具に連繋している竿掛けアームの高さ調整と固定、開放を任意に行うことを可能に構成したことを特徴とする物干し金物の竿掛けアーム支持装置である。
【００２０】
本発明において、前記摺動用固定柱のブラケット形状固定具に設けられる挟持部は、合成樹脂等を被覆した構成部材からなり、該合成樹脂被覆材の厚さ及び大きさを調整することで竿掛けアーム収納時に竿掛けアーム縁部と摺動用固定柱のブラケット形状固定具に設けられる挟持部のガタツキをなくし、竿掛けアームが横揺れしたり、強風時に音を発生することを防止した物干し金物の竿掛けアーム支持装置である。
【発明の効果】
【００２１】
斯くして、本発明は、竿掛けアームを回動させて上向き方向に収納する竿掛けアーム収納部分、並びに竿掛けアームを冠着して竿掛けアームの角度設定をしているキャップ部分、そして竿掛けアームの高さ調整をする摺動用固定柱部分を徹底的に簡素化し、複雑な動きや機構を排除してスムーズな動きの竿掛けアーム収納操作が可能な物干し金物の竿掛けアーム支持装置を具現化することができた。
【００２２】
また、本発明は、竿掛けアームを保持して摺動せしめ、竿掛けアームの高さを調整する摺動用固定柱部分を上下両端部で壁面に保持固定することで摺動用固定柱部分をスリム化しても強度的には両端部支持で確実なものとし、該竿掛けアームの角度保持機構は、摺動用固定柱に穿設された掛合長孔に竿掛けアーム端部に設けられた掛合部が嵌合することで行う構成となし、物干し金物がバルコニー内部側に突出する寸法、所謂、出幅を最小とすることで利用者が物干し金物に衝突することを防止した物干し金物の竿掛けアーム支持装置を具体化することができた。
【００２３】
また、本発明は、竿掛けアーム収納時に竿掛けアーム縁部が挿着される摺動用固定柱のブラケット形状固定具に設けられる挟持部を合成樹脂にて被覆して製作し、該挟持部が滑らかでガタツキのないものとすることにより、前記竿掛けアームが横揺れしたり、強風時に音を発生することを防止した物干し金物の竿掛けアーム支持装置を具現化することができた。
【００２４】
そして更に、本発明は、前記作動部分の部品数を簡素化することで 、製作コストを安価にすることができた。
【発明を実施するための最良の形態】
【００２５】
本発明を実施するための最良の形態は、バルコニーを構成するコンクリート立ち上がり壁面やバルコニー手摺を構成する金属製手摺の支柱間、または母屋外壁面に任意な間隔を有して固定される摺動用固定柱は少なくとも上下２カ所で固着保持するためのブラケット形状の固定具を介して設けて取り付けられるか、或いは前記摺動用固定柱は少なくとも上下２カ所で前記壁面に対して固着保持が可能な形状具を有しており、該摺動用固定柱には上下方向に摺動可能に挿着されたアーム保持金具を設け、該アーム保持金具に竿掛けアームを回転軸を介して回転自在に設け、且つ、前記竿掛けアームの端部に上向きに突設された掛合部を設け、
該竿掛けアームに設けられた掛合部が前記摺動用固定柱前面に穿設された複数個の掛合長孔にそれぞれ嵌着されることで竿掛けアームの高さを可変した状態で竿掛けアームの長手方向が水平方向から略４０度に保持されるよう構成したことである。
【００２６】
本発明において、前記竿掛けアームの長手方向中央部には、スライド溝が設けてあり、該スライド溝はアーム保持金具と竿掛けアームを回転軸を介して連繋し竿掛けアームを摺動するもので、該竿掛けアームの長手方向が水平方向から略４０度に保持されるように構成され、前記竿掛けアームの端部に突設された掛合部が前記摺動用固定柱前面に穿設された複数個の掛合長孔に嵌着されることで竿掛けアームの長手方向が水平方向から略４０度に保持されるよう構成されていることが好ましい。
【００２７】
本発明において、前記竿掛けアームの長手方向中央部には、スライド溝が設けてあり、該スライド溝はアーム保持金具と竿掛けアームを回転軸を介して連繋し竿掛けアームを摺動するもので、該竿掛けアームの長手方向が水平方向から略４０度に保持される際に前記回転軸がスライド溝内の端部に設けられ偏芯した中心軸を有するアーム固定孔に嵌合し、また、前記竿掛けアームの端部に突設された掛合部が前記摺動用固定柱前面に穿設された複数個の掛合長孔に嵌着されることで竿掛けアームの長手方向が水平方向から略４０度に保持固着されるよう構成されていることが好ましい。
【００２８】
本発明において、前記竿掛けアームの長手方向中央部には、スライド溝が設けてあり、該スライド溝はアーム保持金具と竿掛けアームを回転軸を介して連繋し竿掛けアームを摺動するもので、該竿掛けアームの長手方向が略水平方向に保持される際に前記回転軸がスライド溝内の端部に設けられ偏芯した中心軸を有するアーム固定孔に嵌合し、また、前記竿掛けアームの端部に突設された掛合部が前記摺動用固定柱前面に穿設された複数個の掛合長孔に嵌着されることで竿掛けアームの長手方向が略水平方向に保持されるよう構成されていることが好ましい。
【００２９】
本発明において、前記竿掛けアームの長手方向中央部には、スライド溝が設けてあり、該スライド溝はアーム保持金具と竿掛けアームを回転軸を介して連繋し竿掛けアームを摺動するもので、該スライド溝内に摺動自在にスライド・ストッパーピンを挿着し、該スライド・ストッパーピンの収納部溝を前記スライド溝内に設けると共に、該スライド・ストッパーピンが摺動して嵌合する凹部嵌合部を前記アーム保持金具先端部に刻設し、該竿掛けアームの長手方向が水平方向から略４０度に保持される際に前記スライド・ストッパーピンがスライド溝内を摺動してアーム保持金具の凹部嵌合部に嵌合し、また、前記竿掛けアームの端部に突設された掛合部が前記摺動用固定柱前面に穿設された複数個の掛合長孔に嵌着されることで竿掛けアームの長手方向が水平方向から略４０度に保持固着されるよう構成されていることが好ましい。
【００３０】
また、本発明において、前記竿掛けアームの長手方向中央部には、スライド溝が設けてあり、該スライド溝はアーム保持金物と竿掛けアームを回転軸を介して連繋し竿掛けアームを摺動するものであり、該竿掛けアームを垂直方向まで回動して収納操作に入ると前記回転軸がスライド溝内を摺動して竿掛けアームを下方向に下げおろし竿掛けアームを垂直方向に立てた状態で収納可能に構成されていることが好ましい。
【００３１】
また、本発明において、前記竿掛けアームは、垂直方向まで回転させて収納動作に入ると竿掛けアーム上面縁部に刻設した切欠部が前記ブラケット形状の上部固定具に設けられた挟持部に嵌合して下方向に摺動し、前記竿掛けアームを垂直方向に立てた状態で収納可能に構成されていることが好ましい。
【００３２】
また、本発明において、前記摺動用固定柱に摺動可能に挿着されたアーム保持金具にはストッパー機構が設けてあり、該ストッパー機構の操作は前記アーム保持金具に装着されているストッパーロッドをレバーにて操作することで摺動用固定柱背面に穿設された複数個の係合孔にストッパーロッドを着脱できてアーム保持金具位置を任意に移動並びに固定可能となし、またアーム保持金具に連繋している竿掛けアームの高さ調整と固定、開放を任意に行うことが可能に構成されていることが好ましい。
【００３３】
更にまた、本発明において、前記摺動用固定柱のブラケット形状固定具に設けられる挟持部は、合成樹脂等を被覆した構成部材からなり、該合成樹脂被覆材の厚さ及び大きさを調整することで、該部材間のガタツキを防止する構成とされていることが好ましい。
【実施例１】
【００３４】
本発明の実施例１を図１乃至図５に基づき説明する。図１は本発明の物干し金物の竿掛けアーム支持装置を説明する側面図、図２は図１の平面図、図３は竿掛けアームの収納状態までの動きを説明する駆動図、図４は竿掛けアームが収納状態にある時の摺動用固定柱と竿掛けアームの関係を説明する平面図、図５は図３のA−A要部断面図である。
【００３５】
図１乃至図５において、１はバルコニーを構成するコンクリート立ち上がり壁面や母屋外壁面、２a、２ｂは壁面１にアンカーボルト等を介して固定されるブラケット形状の固定具、３は固定具２a、２ｂにより上下端部を壁面１に固定される摺動用固定柱、４は摺動用固定柱３に挿着されたアーム保持金具であり、該アーム保持金具４は前記摺動用固定柱３に沿って上下に摺動可能であり、また、アーム保持具４の先端部には竿掛けアーム５が回転軸６を介して回転自在に設けられている。
【００３６】
而して、前記竿掛けアーム５の中央部長手方向にはスライド溝７が穿設されており、該スライド溝７はアーム保持金具４と竿掛けアーム５を回転軸６を介して連繋しており、竿掛けアーム５に穿設された前記スライド溝７内を回転軸６が摺動して該竿掛けアーム５を収納位置に収納するものである。
【００３７】
また竿掛けアーム５の端部には上向きに突設された掛合部８が設けられており、該掛合部８は前記摺動用固定柱３の全面に穿設された複数個の掛合長孔９a、９ｂ、９ｃにそれぞれ嵌着されることで、竿掛けアーム５の高さをそれぞれ可変できると共に、それぞれ竿掛けアーム５端部の掛合部８と前記回転軸６間で竿掛けアーム５を掛止して、該竿掛けアーム５の長手方向ががそれぞれの高さで水平方向から略４０度に保持されるように構成されている。
【００３８】
更にまた、竿掛けアーム５の上面縁部１０には切欠部１１a、１１ｂ、１１ｃが刻設してあり、該竿掛けアーム５は、図３に示す如く、竿掛けアーム５を５a、５ｂ、５ｃと垂直方向まで回転して収納動作に入ると、前記切欠部１１a、１１ｂ、１１ｃがブラケット形状の上部固定具２aに設けられた挟持部１２に嵌合して内部に挿嵌されて下方向に摺動し、前記竿掛けアーム５を垂直方向に立てた状態で竿掛けアーム５が竿掛けアーム５ｄに示す如く垂直方向で下方に下がり収納状態が完了する。
尚、竿掛けアーム５には物干し竿の挿入孔１３a、１３ｂ、１３ｃとハンガー掛け用の孔１４a、１４ｂ、１４ｃ等が穿設されている。
【００３９】
斯くして、本発明は、バルコニーを構成するコンクリート立ち上がり壁面や、母屋外壁面１等に任意な間隔を有して固定される一対の摺動用固定柱３は、少なくとも上下２カ所で固着保持するためのブラケット形状の固定具２a、２ｂを設けて取り付けられるか、或いは前記摺動用固定柱は、少なくとも上下２カ所で前記壁面に対して固着保持が可能な形状具を有して壁面１に取り付けられている。
【００４０】
そして、前記摺動用固定柱３には、上下方向に摺動可能に挿着されたアーム保持金具４を設け、該アーム保持金具４に竿掛けアーム５を回転軸を介して回転自在に設け、且つ、前記竿掛けアーム５の端部に上向きに突設された掛合部８を設け、該竿掛けアーム５に設けられた掛合部８が前記摺動用固定柱３前面に穿設された複数個の掛合長孔９a、９ｂ、９ｃにそれぞれ嵌着されることで竿掛けアーム５の高さを可変した状態で竿掛けアーム５の長手方向が水平方向から略４０度に保持されるよう構成している物干し金物の竿掛けアーム支持装置を提供することができた。
【００４１】
また、本発明における竿掛けアーム５の長手方向中央部には、スライド溝７が設けてあり、該スライド溝７はアーム保持金具４と竿掛けアーム５を回転軸６を介して連繋し竿掛けアーム５を図３の如くを摺動するものであり、該竿掛けアーム５を垂直方向まで回動して収納操作に入ると前記回転軸６がスライド溝７内を摺動して竿掛けアーム５を下方向に下げおろし該竿掛けアーム５を垂直方向に立てた状態で収納可能にした金物の竿掛けアーム支持装置である。
【００４２】
更に、本発明における竿掛けアーム５を垂直方向まで回転して収納動作に入ると前記竿掛けアーム５の上面縁部１０に刻設した切欠部１１a、１１ｂ、１１ｃが、前記ブラケット形状の上部固定具２aに設けられた挟持部１２に嵌合して下方向に摺動し、前記竿掛けアーム５を垂直方向に立てた状態で収納可能に構成した物干し金物の竿掛けアーム支持装置である。
【００４３】
そして本発明は、図１並びに図５に示す如く、摺動用固定柱３に摺動可能に挿着されたアーム保持金具４にはストッパー機構１５が設けてあり、該ストッパー機構１５の操作は前記アーム保持金具４に装着され端部を常にキックバネ１６にて押圧されて係合孔１７a、１７ｂ、１７ｃに係合しているストッパーロッド１８先端部をレバー１９にて操作することで摺動用固定柱３背面に穿設された複数個の係合孔１７a、１７ｂ、１７ｃにストッパーロッド１８を着脱できてアーム保持金具４の位置を任意に移動並びに固定可能となし、またアーム保持金具４に連繋している竿掛けアーム５の高さ調整と固定、開放を任意に行うことが可能に構成されていて、アーム保持金具４の位置を任意に摺動移動可能としている。
【００４４】
また、本発明において摺動用固定柱３のブラケット形状固定具２aに設けられる挟持部１２は、合成樹脂等を被覆した構成部材からなり、該合成樹脂被覆材の厚さ及び大きさを調整して製作することにより、該挟持部１２が滑らかでガタツキのないものとすることができ、前記竿掛けアーム５が横揺れしたり、強風時に音を発生することを防止した物干し金物の竿掛けアーム支持装置を提供することができた。
【実施例２】
【００４５】
図６は本発明に実施例２を示す斜視説明図であり、図６においてはアーム保持金具４の先端部と竿掛けアーム５の先端部が拡大されて示されている。
【００４６】
図６において、前記竿掛けアーム５の長手方向中央部にはスライド溝７が設けてあり、該スライド溝７はアーム保持金具４と竿掛けアーム５を回転軸６を介して連繋し竿掛けアーム５を摺動するもので、該竿掛けアーム５の長手方向が水平方向から略４０度に保持される際に前記回転軸６がスライド溝内７の端部に設けられた偏芯した中心軸を有するアーム固定孔２０に嵌合し、また、前記竿掛けアーム５の端部に突設された掛合部８が前記摺動用固定柱３前面に穿設された複数個の掛合長孔９a、９ｂ、９ｃに嵌着されることで竿掛けアーム５の長手方向が水平方向から略４０度に確実に保持固着されるよう構成し物干し金物の竿掛けアーム支持装置を提供することができた。
【００４７】
また、実施例２において、スライド溝７の端部に設けられた偏芯した中心軸を有するアーム固定孔２０のストローク並びに向きを任意に可変して設計することにより、竿掛けアーム５の端部に突設された掛合部８が前記摺動用固定柱３前面に穿設された複数個の掛合長孔９a、９ｂ、９ｃに嵌着された状態にて竿掛けアーム５の長手方向が略水平方向に保持されるよう構成することも可能である。  
【実施例３】
【００４８】
図７は本発明の実施例３を示す斜視説明図であり、図７においてはアーム保持金具４の先端部と竿掛けアーム５の先端部が拡大されて示されている。
【００４９】
図７において、物干し金物を構成する竿掛けアーム５の長手方向中央部には、スライド溝７が設けてあり、該スライド溝７は、アーム保持金具４と竿掛けアーム５を回転軸６を介して連繋し竿掛けアーム５を摺動するもので、該スライド溝７内に摺動自在にスライド・ストッパーピン２１を挿着し、該スライド・ストッパーピン２１の収納部溝２２を前記スライド溝７内の他端に設けると共に、該スライド・ストッパーピン２１が摺動して嵌合する凹部嵌合部２３a、２３ｂを前記アーム保持金具４先端部に刻設し、該竿掛けアーム５の長手方向が水平方向から略４０度に保持される際に前記スライド・ストッパーピン２１がスライド溝７内を摺動してアーム保持金具４の凹部嵌合部２３a、２３ｂに嵌合し、また、前記竿掛けアーム７の端部に突設された掛合部８が前記摺動用固定柱３前面に穿設された複数個の掛合長孔９a、９ｂ、９ｃに嵌着されることで竿掛けアーム５の長手方向が水平方向から略４０度に確実に保持固定されるよう構成した物干し金物の竿掛けアーム支持装置を提供することができた。
【産業上の利用可能性】
【００５０】
而して本発明は、竿掛けアームを回動させて上向き方向に収納する竿掛けアーム収納部分、並びに前記竿掛けアームを冠着して竿掛けアームの角度設定をしているキャップ部分、そして竿掛けアームの高さ調整をするスライド支柱部分等を徹底的に簡素化し、複雑な動きや機構を排除しスムーズな動きの竿掛けアーム収納操作、並びに安全な竿掛けアームの高さ調整操作ができる物干し支持装置を具現化することができた。
【００５１】
また、本発明は、竿掛けアームを保持して摺動せしめ、該竿掛けアームの高さを調整するスライド支柱部分を上下両端部で保持、固着して強度的に確実なものとし、該部品のスリム化を計り、該竿掛けアーム支持装置のバルコニー内部への出幅を最小とした物干し金物の竿掛けアーム支持装置を具体化することができ、上記の多大なる効果は、産業上大いに利用されるものであり、その産業上の利用価値は顕著なものがある。
【図面の簡単な説明】
【００５２】
【図１】本発明の実施例１を説明する側面図である。
【図２】図１の平面図である。
【図３】竿掛けアームの収納状態までの動きを説明する駆動図である。
【図４】竿掛けアームが収納状態にある時の摺動用固定柱と竿掛けアームの関係        を説明する平面図である。
【図５】図３のA−A要部断面図である。
【図６】本発明の実施例２を示す拡大斜視説明図である。
【図７】本発明の実施例３を示す拡大斜視説明図である。
【符号の説明】
【００５３】
１  壁
２a、２ｂ  固定具
３  摺動用固定柱
４  アーム保持金具
５  竿掛けアーム
６  回転軸
７  スライド溝
８  掛合部
９a、９ｂ、９ｃ  掛合長孔
１０  上面縁部
１１a、１１ｂ、１１ｃ  切欠部
１２  挟持部
１３a、１３ｂ、１３ｃ  物干し竿挿入孔
１４a、１４ｂ、１４ｃ  ハンガー掛け用孔
１５  ストッパー機構
１６  キックバネ
１７a、１７ｂ、１７ｃ  係合孔
１８  ストッパーロッド
１９  レバー
２０  アーム固定孔
２１  スライド・ストッパーピン
２２  収納部溝
２３a、２３ｂ  凹部嵌合部
【図１】
2006158610.tif 000003
【図２】
2006158610.tif 000004
【図３】
2006158610.tif 000005
【図４】
2006158610.tif 000006
【図５】
2006158610.tif 000007
【図６】
2006158610.tif 000008
【図７】
2006158610.tif 000009